(57)【要約】【課題】  慶事に合った好印象を与えることができると共に、深く印象に残る慶事用招待状を提供する。【解決手段】  慶事が行われることを招待予定者に通知する慶事用招待状において、ほぼ短冊形状で慶事情報が記載された複数の招待状本体21，21Ａを重ね合わせると共に、長手方向上部側を紐状体31により結んでしおり形招待状２を形成する。和風のしおり形招待状２を受け取った招待者が強い興味を引き、印象の深い招待状２となる。また、前記しおり形招待状２を収納ケースに入れても良い。【選択図】        図２
0003105729.tif 000002
【実用新案登録請求の範囲】
【請求項１】
慶事が行われることを招待予定者に通知する慶事用招待状において、ほぼ短冊形状で慶事情報が記載された複数の招待状本体を重ね合わせると共に、長手方向上部側を紐状体により結んでなることを特徴とする慶事用招待状。
【請求項２】
慶事が行われることを招待予定者に通知する慶事用招待状セットにおいて、招待状本体の長手方向上部側に紐状体を設けたしおり形招待状と、ケース本体に前記しおり形招待状を係止させた状態で折り目を介して折返片を折り返すことにより、前記ケース本体及び前記折返片の間に前記しおり形招待状を収納する収納ケースと、前記ケース本体に前記折返片を折り返した二折状態で前記収納ケースを封入する封筒とを備えることを特徴する慶事用招待状セット。
【請求項３】
前記しおり形招待状は、ほぼ短冊形状で慶事情報が記載された複数の招待状本体を重ね合わせると共に、長手方向上部側を前記紐状体により結んでなることを特徴とする請求項２記載の慶事用招待状セット。
【請求項４】
前記しおり形招待状及び前記折返片の内面には、文字列が長手方向に沿って縦書きで記載されていることを特徴とする請求項２又は３記載の慶事用招待状セット。
【請求項５】
前記慶事に関する慶事情報が記載され、二つの折り目を介して三折に折り畳み可能なパンフレットを備え、前記封筒は、前記収納ケースとともに、前記パンフレットを三折状態で封入することを特徴とする請求項２〜４のいずれか１項に記載の慶事用招待状セット。
【請求項６】
前記しおり形招待状は、前記慶事に関する文字列が長手方向に沿って横書き、縦書き及び斜め書きのうち少なくともいずれか１つで記載されていることを特徴とする請求項２又は３記載の慶事用招待状セット。
【請求項７】
前記しおり形招待状は、熱可塑性樹脂でなりかつ透明又は半透明で形成されたしおり表紙本体と、紙製で形成された前記招待状本体とを備えることを特徴とする請求項２〜６のいずれか１項に記載の慶事用招待状セット。
【考案の詳細な説明】
【技術分野】
【０００１】
この考案は、慶事用招待状と慶事用招待状セットに関し、例えば、結婚式や披露宴（以下、これらをまとめて結婚披露宴と呼ぶ）が行われることを招待予定者に対して通知する結婚披露宴用招待状とそのセットに適用して好適なものである。
【背景技術】
【０００２】
近年、結婚披露宴は、その形式が多様化し、主催者である新郎新婦によって結婚披露宴を行う会場やウエディングスタイルなどが自由に選択され様々な雰囲気を演出し得るようになされており、例えば、ライブコンサートのような雰囲気が演出されることにより、招待者に対して結婚披露宴であるにも係らずあたかもライブコンサートが開催されているかのような発想を抱かせるようにさせるなど、そのエンターテイメント性が向上してきている。
【０００３】
ところで、このような結婚披露宴を行うことを招待予定者に通知する場合には、新郎新婦及び差出人（親）の氏名や、結婚披露宴を開く旨の本文、結婚披露宴の会場及び日時などが記載された招待状を、封筒に封入した結婚披露宴用招待状セットが用いられている（例えば特許文献１）。
【特許文献１】実開平６−５５７６５号公報
【考案の開示】
【考案が解決しようとする課題】
【０００４】
ところが、このような結婚披露宴用招待状セットでは、単に結婚披露宴の開催日時や結婚披露宴が行われる会場などが記載されているに過ぎないため、招待状により結婚披露宴を行うことを通知した時点で、招待予定者に与える印象に乏しい面がある。
【０００５】
また、この種の招待状セットは、利用者が規格化されたセットのうち、気に入ったものを選択するようにしているが、デザイン的に平凡なものが多く、慶事に合った好印象を与えるデザインも少ない。
【０００６】
そこで本考案は以上の点を考慮してなされたもので、慶事に合った好印象を与えることができると共に、深く印象に残る慶事用招待状と慶事用招待状セットを提供することを目的とする。
【課題を解決するための手段】
【０００７】
請求項１の考案は、慶事が行われることを招待予定者に通知する慶事用招待状において、ほぼ短冊形状で慶事情報が記載された複数の招待状本体を重ね合わせると共に、長手方向上部側を紐状体により結んでなる。
【０００８】
請求項２の考案は、慶事が行われることを招待予定者に通知する慶事用招待状セットにおいて、招待状本体の長手方向上部側に紐状体を設けたしおり形招待状と、ケース本体に前記しおり形招待状を係止させた状態で折り目を介して折返片を折り返すことにより、前記ケース本体及び前記折返片の間に前記しおり形招待状を収納する収納ケースと、前記ケース本体に前記折返片を折り返した二折状態で前記収納ケースを封入する封筒とを備えるものである。
【０００９】
また、請求項３の考案は、前記しおり形招待状は、ほぼ短冊形状で慶事情報が記載された複数の招待状本体を重ね合わせると共に、長手方向上部側を前記紐状体により結んでなる。
【００１０】
また、請求項４の考案は、前記しおり形招待状及び前記折返片の内面には、文字列が長手方向に沿って縦書きで記載されているものである。
【００１１】
また、請求項５の考案は、前記慶事に関する慶事情報が記載され、二つの折り目を介して三折に折り畳み可能なパンフレットを備え、前記封筒は、前記収納ケースとともに、前記パンフレットを三折状態で封入するものである。
【００１２】
また、請求項６の考案は、前記しおり形招待状は、前記慶事に関する文字列が長手方向に沿って横書き、縦書き及び斜め書きのうち少なくともいずれか１つで記載されているものである。
【００１３】
また、請求項７の考案は、前記しおり形招待状は、熱可塑性樹脂でなりかつ透明又は半透明で形成されたしおり表紙本体と、紙製で形成された前記招待状本体とを備えるものである。
【考案の効果】
【００１４】
請求項１の構成によれば、しおり形の招待状により、和風の招待状を受け取った招待者が強い興味を引き、印象の深い招待状となり、複数の招待状本体により慶事内容を通知できる。また、招待状の利用者もそのデザインにより好印象を受け、利用者も増える。しかも、しおり形招待状は、慶事の後、通常の本のしおりとしても利用でき、利便性に優れると共に、慶事の記念にもなる。
【００１５】
請求項２の構成によれば、封筒を開封した招待予定者は、しおり形招待状を収納した収納ケースにより、高級感と共に好印象を受ける。さらに、和風のしおり形の招待状により、招待状を受け取った招待者が強い興味を引き、印象の深い招待状となる。また、招待状の利用者もそのデザインにより好印象を受け、利用者も増える。しかも、しおり形招待状は、慶事の後、通常の本のしおりとしても利用でき、利便性に優れると共に、慶事の記念にもなる。
【００１６】
また、請求項３の構成によれば、重ねた複数の招待状本体をめくって見ることにより慶事内容を知ることができる。
【００１７】
また、請求項４の構成によれば、しおり形招待状と共にこれと折返片に記載された縦書きにより、一層和風で印象深いものとなる。
【００１８】
また、請求項５の構成によれば、慶事情報が記載されたパンフレットを、収納ケースと共に封筒内に封入することにより、招待状と共に、必要情報を伝えることができる。
【００１９】
また、請求項６の構成によれば、しおり形招待状に慶事情報に関する文字列が長手方向に沿って横書き、縦書き及び斜め書きのうち少なくともいずれか１つで記載されているので、招待予定者に対して、しおり形招待状により慶事情報を通知することができる。
【００２０】
また、請求項７によれば、表紙本体を透明又は半透明に形成することにより、ケース本体に係止したときに招待状本体がしおり表紙本体に透過表示されて表示に変化を与えることができ、かくして招待予定者の興味を惹きつけることができる。また熱可塑性樹脂でなる表紙本体を設けるようにしたことにより、紙製に比べ丈夫なため折れ難く、かつ耐水性があるので、持ち運びの際にしおり形招待状の損傷を防止できる。
【考案を実施するための最良の形態】
【００２１】
本考案における好適な実施の形態について、添付図面を参照しながら詳細に説明する。尚、以下に説明する実施の形態は、実用新案登録請求の範囲に記載された本考案の内容を限定するものではない。また、以下に説明される構成の全てが、本考案の必須要件であるとは限らない。実施例では、従来とは異なる新規な慶事用招待状と慶事用招待状セットを採用することにより、従来にない慶事用招待状と慶事用招待状セットが得られ、その慶事用招待状と慶事用招待状セットについて記述する。
【実施例１】
【００２２】
以下、本考案の実施例について、図１〜図６を用いて説明する。図３などに示すように、１は本考案の慶事用招待状セットである結婚披露宴用招待状セットを示し、この結婚披露宴用招待状セット１は、ほぼ短冊形状をなすしおり形招待状２と、このしおり形招待状２を収納する収納ケース３と、結婚披露宴に関する種々の情報（以下、これを結婚披露宴情報と呼ぶ）が記載されたパンフレット４と、しおり形招待状２を収納した収納ケース３及びパンフレット４を封止する封筒５とで構成されている。
【００２３】
実際上、この封筒５は、パンフレット４を三つ折りの状態で収納するとともに、収納ケース３を二つ折りの状態で収納し、封筒５の折返片（以下、これを封筒側折返片と呼ぶ）６を折り目７を介して封筒本体８に折り返した後（図中矢印Ａ方向）、シール（図示せず）などを用いて封筒５内部にしおり形招待状２と収納ケース３とパンフレット４とを封入し得るようになされている。
【００２４】
パンフレット４は、図４に示すように、ほぼ矩形状でなり、縦寸法が封筒５の図３中の横寸法よりも大きく形成されているとともに、横寸法が収納ケース３の図３中の縦寸法とほぼ同一寸法に形成され、短手方向に沿って２つの折り目9a及び9bが形成されていることにより、封筒５内に収納できる大きさに三つ折りに折り畳めるようになされている。
【００２５】
因みに、パンフレット４には、「寿」の表示とともに、季節の挨拶及び結婚披露宴を開く旨の本文（図示せず）などが記載された結婚報告欄10と、結婚披露宴が行われる会場（以下、単に会場という）の写真（図示せず）が掲載された会場イメージ欄11と、新郎新婦や差出人（親）の氏名、結婚披露宴の日時及び出欠席の届出依頼、会場の住所、連絡先が記載された開催案内欄12とによって構成されており、慶事情報たる結婚披露宴情報が記載され、これを招待予定者に確実に通知し得るようになされている。
【００２６】
図５（Ａ）に示すように、収納ケース３は、全体としてほぼ矩形状に形成され、やや厚めで適度の剛性を有した紙製でなり、ケース本体13に折り目14を介して折返片15が連設されている。これにより、収納ケース３は、図５（Ｂ）に示すように、折り目14を介してケース本体13に折返片15が折り返されて二つ折り可能に形成されている。
【００２７】
実際上、この折り目14は、収納ケース３の長手方向に沿って直線状に形成されていることにより、ケース本体13に折返片15が折り返されると、全体としてほぼ短冊形状に形成し得るようになされている。
【００２８】
これにより収納ケース３は、ケース本体13と折返片15との間に短冊形状のしおり形招待状２全体を確実に収納し得るように構成されており、しおり形招待状２の損傷を防止し得るようになされている。
【００２９】
因みに、この実施の形態の場合、ケース本体13から折返片15が開くことにより現れる内面たる裏面16には、会場の写真や新郎新婦などがイメージする結婚披露宴に関する絵柄が記載され、また、漢字、ひらがな、カタカナなどの文字列16ａが、折返片15の長手方向に沿って縦書きで記載されており、ケース本体13から折返片15が開くことにより絵柄を認識させ、所望のイメージを瞬時に発想させ得る。尚、この例では、前記文字列16ａは、「人生の大切なページにしおりをはさめようと思います」である。
【００３０】
図６に示すように、ケース本体13は、斜め方向に対向する２つの角部の近傍に斜めの切り込みでなる係止部17を有し、しおり形招待状２の角部（この場合、斜め方向に対向する２つの角部）を係止部17に差し込み得ることによりしおり形招待状２を着脱可能に係止し得る。
【００３１】
図１及び図２に示すように、しおり形招待状２は、透明又は半透明のしおり表紙本体20と、不透明の招待状本体21，21Ａとで構成され、しおり表紙本体20と招待状本体21，21Ａは同一形状でほぼ短冊形状をなす。また、それらしおり表紙本体20及び招待状本体21，21Ａの上部側には紐状体31を挿入する孔32がそれぞれ穿設されている。この例では前記紐状体31は和紙などを紐状にしたこよりを用いている。
【００３２】
この実施の形態の場合、しおり形招待状２は、しおり表紙本体20の裏面に２枚の招待状本体21，21Ａを重ねあわせ、各孔32，32，32に前記紐状体31の折返部31ａを挿通し、この挿通した折返部31aの輪内に紐状体31の両端部を挿通することにより、それらしおり表紙本体20及び招待状本体21，21Ａを結んでなる。
【００３３】
このようにしおり表紙本体20及び招待状本体21，21Ａを重ね合わせ、紐状体31で結んだしおり形案内状２を、ケース本体13の係止部17に係止されることにより、招待状本体21に記載された情報などがしおり表紙本体20を介して透過表示され、新たなイメージ絵柄を構成し得るようになされている。
【００３４】
実際上、しおり表紙本体20は、半透明の熱可塑性樹脂でなる半透明フィルムで形成されており、例えばオンデマンド方式などによって、模様などが印刷されている。
【００３５】
また、しおり表紙本体20の裏面に重ねた招待状本体21，21Ａは、やや厚めで適度の剛性を有した紙製でなり、その正面の長手方向に沿って、結婚披露宴情報に関する文字列が縦書きや横書きで印刷されている。
【００３６】
因みに、この実施の形態の場合、招待状本体21は、結婚披露宴の招待状であることを示す間接的に示す「寿」を表す表示欄22と、季節の挨拶文や結婚披露宴を行う旨などの文字列が記載された招待欄23とを有し、結婚披露宴情報のうち主として新郎新婦に関する情報を提示し得るようになされており、慶事に関する文字列23aが長手方向に沿って記載されている。尚、この例では、前記文字列23ａには、「…の婚約が相整い結婚式を挙げることになりました」という文字が含まれている。
【００３７】
因みに、この実施の形態の場合、招待状本体21Ａは、結婚披露宴の招待状であることを示す間接的に示す「寿」を表す表示欄22と、結婚披露宴が行われる日時及び場所が記載された会場情報欄24とを有し、結婚披露宴情報のうち主として会場に関する情報を提示し得るようになされており、文字列が横書きで印刷されている。
【００３８】
そして、招待状本体21，21Ａにしおり表紙本体20に重ね合わせて、係止部17に係止されることにより、招待状本体21が透過表示され、当該透過表示された招待欄23などが視覚的に認識し得、その結果、新たなイメージ絵柄を構成し得るようになされている。
【００３９】
以上の構成において、招待予定者に対して結婚披露宴の招待を通知する際、招待予定者に封筒５を開封させた後２つ折りの収納ケース３を取り出させ、当該収納ケース３を開かせてケース本体13に係止された短冊形状のしおり形招待状２を目視させることができる。
【００４０】
そして、ケース本体13からしおり形招待状２を取外し、しおり表紙本体20を捲って招待状本体21を見たり、招待状本体21を捲って招待状本体21Ａを見たり、あるいは図２に示すように、しおり表紙本体20、招待状本体21，21Ａを孔32を中心にずらして見たりすることができる。
【００４１】
さらに、しおり形招待状２は、結婚披露宴に関する文字列が長手方向に沿って縦書きされていることにより、招待予定者に対してしおり形招待状２を縦方向に目視させることができ、かくして和風の様相を呈した招待状２となる。
【００４２】
さらに加えて、熱可塑性樹脂でなるしおり表紙本体20を設けるようにしたことにより、紙製に比べ丈夫なため折れ難く、かつ耐水性があるので、持ち運びの際に招待状本体21，21Ａの損傷を防止できる。
【００４３】
また、しおり表紙本体20を半透明に形成することにより、ケース本体13に係止したときに招待状本体21が透過表示されて表示に変化を与えることができ、かくして招待予定者の興味を惹きつけることができる。
【００４４】
このように本実施例では、請求項１に対応して、慶事が行われることを招待予定者に通知する慶事用招待状において、ほぼ短冊形状で慶事情報が記載された複数の招待状本体21，21Ａを重ね合わせると共に、長手方向上部側を紐状体31により結んでなるから、しおり形の招待状２により、和風の招待状２を受け取った招待者が強い興味を引き、印象の深い招待状２となり、複数の招待状本体21，21Ａにより慶事内容を通知できる。また、招待状２の利用者もそのデザインにより好印象を受け、利用者も増える。しかも、しおり形招待状２は、慶事の後、通常の本のしおりとしても利用でき、利便性に優れると共に、慶事の記念にもなる。
【００４５】
このように本実施例では、請求項２に対応して、慶事が行われることを招待予定者に通知する慶事用招待状セットにおいて、招待状本体21の長手方向上部側に紐状体31を設けたしおり形招待状２と、ケース本体13にしおり形招待状２を係止させた状態で折り目14を介して折返片15を折り返すことにより、ケース本体13及び折返片15の間にしおり形招待状２を収納する収納ケース３と、ケース本体13に折返片15を折り返した二折状態で収納ケース３を封入する封筒５とを備えるから、封筒５を開封した招待予定者は、しおり形招待状２を収納した収納ケース３により、高級感と共に好印象を受ける。さらに、和風のしおり形の招待状２により、招待状２を受け取った招待者が強い興味を引き、印象の深い招待状２となる。また、招待状２の利用者もそのデザインにより好印象を受け、利用者も増える。しかも、しおり形招待状２は、慶事の後、通常の本のしおりとしても利用でき、利便性に優れると共に、慶事の記念にもなる。
【００４６】
また、このように本実施例では、請求項３に対応して、しおり形招待状２は、ほぼ短冊形状で慶事情報が記載された複数の招待状本体21，21Ａを重ね合わせると共に、長手方向上部側を紐状体31により結んでなるから、重ねた複数の招待状本体21，21Ａをめくって見ることにより慶事内容を知ることができる。
【００４７】
また、このように本実施例では、請求項４に対応して、しおり形招待状２の表面及び折返片６の内面には、文字列23a，16aが長手方向に沿って縦書きで記載されているから、しおり形招待状２と共に、これと折返片６に記載された縦書きにより、一層和風で印象深いものとなる。
【００４８】
また、このように本実施例では、請求項５に対応して、慶事に関する慶事情報が記載され、二つの折り目を介して三折に折り畳み可能なパンフレット４を備え、封筒５は、収納ケース３とともに、パンフレット４を三折状態で封入するから、慶事情報が記載されたパンフレット４を、収納ケース３と共に封筒５内に封入することにより、招待状２と共に、必要情報を伝えることができる。
【００４９】
また、このように本実施例では、請求項６に対応して、しおり形招待状２は、慶事に関する文字列23a，16が長手方向に沿って横書き、縦書き及び斜め書きのうち少なくともいずれか１つで記載されているから、招待予定者に対して、しおり形招待状２により慶事情報を通知することができる。尚、招待状本体21Ａでは文字列は横書きである。
【００５０】
また、このように本実施例では、請求項７に対応して、しおり形招待状２は、熱可塑性樹脂でなりかつ透明又は半透明で形成されたしおり表紙本体20と、紙製で形成された招待状本体21，21Ａとから構成されているから、表紙本体20を透明又は半透明に形成することにより、ケース本体13に係止したときに招待状本体21がしおり表紙本体20に透過表示されて表示に変化を与えることができ、かくして招待予定者の興味を惹きつけることができる。また、熱可塑性樹脂でなる表紙本体20を設けるようにしたことにより、紙製に比べ丈夫なため折れ難く、かつ耐水性があるので、持ち運びの際にしおり形招待状２の損傷を防止できる。
【００５１】
なお、上述した実施の形態においては、２枚の招待状本体21，21Ａを備えたしおり形正体状２を示したが、３枚以上でもよく、請求項２では招待状本体は１枚でもよい。また、図３では、横が開くタイプの封筒を示したが、上側に折返片を設けて上側が開くタイプのものでもよい。
【００５２】
また、上述した実施の形態においては、本考案による慶事用招待状セットとして、結婚披露宴に用いる結婚披露宴用招待状セット１に適用するようにした場合について述べたが、本考案はこれに限らず、例えば、銀婚式や成人式、入園・入学式、或いは上棟式、創立祝などこの他種々の慶事に用いる慶事用招待状セットに適用するようにしても良い。
【００５３】
さらに、上述した実施の形態においては、しおり形招待状２の長手方向に沿って結婚披露宴に関する文字列を縦書き、短手方向に沿って横書きするようにした場合について述べたが、本考案はこれに限らず、しおり形招待状２の長手方向又は短手方向に対して結婚披露宴に関する文字列を斜め書きするようにしても良い。
【００５４】
さらに、上述した実施の形態においては、しおり表紙本体20を半透明に形成するようにした場合について述べたが、本考案はこれに限らず、しおり表紙本体20を透明に形成するようにしても良い。また、請求項７以外では、しおり表紙本体20を紙製としてもよい。
【図面の簡単な説明】
【００５５】
【図１】本考案の実施例を示す慶事用招待状を分解した状態の正面図である。
【図２】同上、慶事用招待状の正面図である。
【図３】同上、慶事用招待状セットの全体構成図を示す正面図である。
【図４】同上、パンフレットの正面図である。
【図５】同上、収納ケースの正面図であり、図５（Ａ）は展開状態、図５（Ｂ）は折返片を折り返した状態を示す。
【図６】同上、収納ケースからしおり形招待状を脱着する様子を示す正面図である。
【符号の説明】
【００５６】
１  結婚披露宴用招待状セット（慶事用招待状セット）
２  しおり形招待状（慶事用招待状）
３  収納ケース
４  パンフレット
５  封筒
13  ケース本体
14  折り目
15  折返片
16  裏面（折返片の内面）
16a，23a  文字列
20  しおり表紙本体
21，21Ａ  招待状本体
31  紐状体
【図４】
0003105729.tif 000003
【図１】
0003105729.tif 000004
【図２】
0003105729.tif 000005
【図３】
0003105729.tif 000006
【図５】
0003105729.tif 000007
【図６】
0003105729.tif 000008